(57)【要約】【課題】簡単な構成で、所期の防水性能を得ることのできるバッグを提供する。【解決手段】上方が開放した外側袋状収容部１２の中に上方が開放した防水性を有する中間袋状収容部１３を収容し、この中間袋状収容部１３の中に上方が開放した内側袋状収容部１４を収容し、外側袋状収容部１２、中間袋状収容部１３および内側袋状収容部１４の開放端部を当布１８で覆って逢着して収容部１１とする。また、下方が開放した外側袋状蓋部２２の中に下方が開放した防水性を有する中間袋状蓋部を収容し、この中間袋状蓋部の中に下方が開放した内側袋状蓋部２４を収容し、外側袋状蓋部２２、中間袋状蓋部および内側袋状蓋部２４の開放端部を当布２８で覆って逢着して蓋部２１とする。【選択図】　　図４
2004024577.tif 000002
【特許請求の範囲】
【請求項１】
上方が開放した収容部と、この収容部の開放面を開閉可能に覆う、下方が開放した蓋部とを備えたバッグにおいて、
上方が開放した外側袋状収容部の中に上方が開放した防水性を有する中間袋状収容部を収容し、この中間袋状収容部の中に上方が開放した内側袋状収容部を収容し、前記外側袋状収容部、前記中間袋状収容部および前記内側袋状収容部の開放端部を逢着して前記収容部とした、
ことを特徴とするバッグ。
【請求項２】
請求項１に記載のバッグにおいて、
下方が開放した外側袋状蓋部の中に下方が開放した防水性を有する中間袋状蓋部を収容し、この中間袋状蓋部の中に下方が開放した内側袋状蓋部を収容し、前記外側袋状蓋部、前記中間袋状蓋部および前記内側袋状蓋部の開放端部を逢着して前記蓋部とした、
ことを特徴とするバッグ。
【発明の詳細な説明】
【０００１】
【発明の属する技術分野】
この発明は、濡れては困る収容物、例えばカメラなどを収容して運ぶのに便利な、上方が開放した収容部と、この収容部の開放面を開閉可能に覆う、下方が開放した蓋部とを備えたバッグに関するものである。
【０００２】
【従来技術】
従来の上記したバッグは、防水性を有する合成樹脂製シートまたは防水処理を施した布を上方が開放する袋状に逢着した収容部と、この収容部の開放面を開閉可能に覆う、防水性を有する合成樹脂製シートまたは防水処理を施した布を下方が開放した形状に逢着した蓋部とで構成されている。
【０００３】
【発明が解決しようとする課題】
従来のバッグは、合成樹脂製シートまたは防水処理を施した布を逢着して収容部または蓋部としているので、逢着部分から雨水などが内部へ染み込むため、カメラなどの収容物が濡れる場合がある。
そこで、収容物を濡らさないようするため、逢着部分に防水処理を施さなければならないので、製作が煩雑になるという不都合があった。
【０００４】
この発明は、上記したような不都合を解消するためになされたもので、簡単な構成で、所期の防水性能を得ることのできるバッグを提供するものである。
【０００５】
【課題を解決するための手段】
この発明は、上方が開放した収容部と、この収容部の開放面を開閉可能に覆う、下方が開放した蓋部とを備えたバッグにおいて、上方が開放した外側袋状収容部の中に上方が開放した防水性を有する中間袋状収容部を収容し、この中間袋状収容部の中に上方が開放した内側袋状収容部を収容し、外側袋状収容部、中間袋状収容部および内側袋状収容部の開放端部を逢着して収容部とする。
そして、下方が開放した外側袋状蓋部の中に下方が開放した防水性を有する中間袋状蓋部を収容し、この中間袋状蓋部の中に下方が開放した内側袋状蓋部を収容し、外側袋状蓋部、中間袋状蓋部および内側袋状蓋部の開放端部を逢着して蓋部とするのが望ましい。
【０００６】
【発明の実施の形態】
以下、この発明の実施形態を図に基づいて説明する。
図１はこの発明の一実施形態であるバッグの斜視図、図２は図１に示したバッグの収容部の一部を破断し、その部分の概略構成を示す右側面図、図３は図１に示したバックの蓋部を開放させた状態の斜視図、図４は図３における収容部を分解した斜視図である。
【０００７】
これらの図において、１はバッグを示し、上方が開放した有底（角）筒状の収容部１１と、この収容部１１の開放面を開閉可能に覆うことができるように、収容部１１を構成する外側袋状収容部１２の裏側の上端部分の外側に裏側の下端部分の一部が逢着された、下方が開放した有天井（角）筒状の蓋部２１と、収容部１１の開放面を閉じた状態に、蓋部２１を維持させる面ファスナ３１と、蓋部２１が無暗に開かないようにロックするロック機構４１と、収容部１１の側面に小物を入れることのできる小物収容部５１と、バンドを通すことにより、バッグ１をバンドに装着することのできる装着部６１と、ストラップなどを固定するための固定用ホルダ７１と、バッグ１を吊り下げることのできる吊り下げ部８１とで構成されている。
【０００８】
上記した収容部１１は、図４に示すように、上方が開放した有底（角）筒状の外側袋状収容部１２の中に上方が開放した防水性を有する有底（角）筒状の中間袋状収容部１３を収容し、この中間袋状収容部１３の中に上方が開放した有底（角）筒状の内側袋状収容部１４を収容し、外側袋状収容部１２、中間袋状収容部１３および内側袋状収容部１４の開放端部を当布１８で覆い、この当布１８を縫うことによって外側袋状収容部１２、中間袋状収容部１３および内側袋状収容部１４の開放端部を逢着し、上方が開放した有底（角）筒状とされている。
なお、外側袋状収容部１２は、防水性を有する合成樹脂製シート、防水処理を施した布または通常の布を上方が開放する袋状に逢着したものである。
そして、中間袋状収容部１３は、例えば合成樹脂製の筒状のシートの一端を熱溶着することにより、上方が開放する袋状にしたものである。
また、内側袋状収容部１４は、図２に示すように、防水性を有する合成樹脂製シート、防水処理を施した布または通常の布を上方が開放する有底（角）筒の袋状に逢着した外側袋状収容体１５の中に、防水性を有する合成樹脂製シート、防水処理を施した布または通常の布を上方が開放する有底（角）筒の袋状に逢着した内側袋状収容体１６を収容し、外側袋状収容体１５と内側袋状収容体１６との間にスポンジなどの緩衝材１７を介在させて外側袋状収容体１５と内側袋状収容体１６との開放端部を逢着することにより、上方が開放した有底（角）筒状とされている。
【０００９】
次に、蓋部２１は、下方が開放した有天井（角）筒状の外側袋状蓋部２２の中に下方が開放した防水性を有する、図示を省略した有天井（角）筒状の中間袋状蓋部（２３）を収容し、この中間袋状蓋部（２３）の中に下方が開放した有天井（角）筒状の内側袋状蓋部２４を収容し、外側袋状蓋部２２、中間袋状蓋部（２３）および内側袋状蓋部２４の開放端部を当布２８で覆い、この当布２８を縫うことによって外側袋状蓋部２２、中間袋状蓋部（２３）および内側袋状蓋部２４の開放端部を逢着し、下方が開放した有天井（角）筒状とされている。
なお、外側袋状蓋部２２は、防水性を有する合成樹脂製シート、防水処理を施した布または通常の布を下方が開放する袋状に逢着したものである。
そして、中間袋状蓋部（２３）は、例えば合成樹脂製の筒状のシートの一端を熱溶着することにより、下方が開放する袋状にしたものである。
また、内側袋状蓋部２４は、図示は省略されているが、防水性を有する合成樹脂製シート、防水処理を施した布または通常の布を下方が開放する有天井（角）筒の袋状に逢着した外側袋状蓋体（２５）の中に、防水性を有する合成樹脂製シート、防水処理を施した布または通常の布を下方が開放する有天井（角）筒の袋状に逢着した内側袋状蓋体２６を収容し、外側袋状蓋体（２５）と内側袋状蓋体２６との間にスポンジなどの緩衝材（２７）を介在させて外側袋状蓋体２５と内側袋状蓋体（２６）との開放端部を逢着することにより、下方が開放した有天井（角）筒状とされている。
すなわち、収容部１１と蓋部２１とは、同じ構成とされている。
【００１０】
次に、面ファスナ３１は、２つの面ファスナ部３２，３３で構成され、一方の面ファスナ部３２が外側袋状収容部１２の表側の上端部分の外側に、逢着によって取り付けられ、一方の面ファスナ部３２に接着したり、剥離できる他方の面ファスナ部３３が外側袋状蓋部２２の表側の下端部分の内側に、逢着によって取り付けられている。
【００１１】
次に、ロック機構４１は、外側袋状収容部１２に、表側の下側から裏側の蓋部２１が逢着された部分まで逢着されたベルト４２の一端部（外側袋状収容部１２の表側の端）に移動可能にバックル４４を構成する雄部材４５が取り付けられ、蓋部２１の表側の下端部分の内側に逢着されたベルト４３にバックル４４を構成する雌部材４６が取り付けられて構成されている。
【００１２】
次に、小物収容部５１は、外側袋状収容部１２の一側の外側、例えば右側面の外側に逢着された伸縮可能なネット５２によって構成されている。
次に、装着部６１は、外側袋状収容部１２の裏側の外側の左右の両端に基部６２の左右の両端部分が逢着され、この基部６２の裏側の外側の上下の両端に覆い部６３の上下の両端部分が逢着されて構成されている。
【００１３】
次に、固定用ホルダ７１は、例えば外側袋状収容部１２の右側面で、当布１８の内側に一端を位置させて一端から途中まで外側袋状収容部１２に逢着されたベルト７２の中間部分にホック７３を構成する雄部材７４が取り付けられ、外側袋状収容部１２に逢着されていないベルト７２の他端部にホック７３を構成する雌部材７５が取り付けられて構成されている。
次に、吊り下げ部８１は、ロック機構４１を構成するベルト４２の他端部に取り付けられたナス環８２で構成されている。
【００１４】
上述したように、この発明の一実施形態によれば、外側袋状収容部１２と内側袋状収容部１４との間に防水性を有する中間袋状収容部１３を介在させて収容部１１とするとともに、外側袋状蓋部２２と内側袋状蓋部２４との間に防水性を有する中間袋状蓋部（２３）を介在させて蓋部２１としたので、収容部１１および蓋部２１の逢着部分に防水処理を施す必要がなくなるため、単に逢着するという簡単な構成で、所期の防水性能を得ることができる。
そして、外側袋状収容体１５と内側袋状収容体１６との間に緩衝材１７を介在させて内側袋状収容部１４とするとともに、外側袋状蓋体（２５）と内側袋状収容体２６との間に緩衝材１７を介在させて内側袋状収容部１４としたので、収容物を衝撃から保護することができる。
【００１５】
また、ロック機構４１を設けたので、蓋部２１を無暗に開かないようにロックすることができる。
さらに、収容部１１の側面に小物収容部５１を設けたので、この小物収容部５１に小物を入れることができる。
そして、装着部６１を設けたので、この装着部６１にバンドを通すことにより、バッグ１を肩に掛けたり、腰の周りに取り付けたりすることができる。
また、固定用ホルダ７１を設けたので、この固定ホルダ７１に、収容物に取り付られけたストラップなどを固定することにより、収容物とバッグ１とを一体的に結ぶことができ、収容物の紛失を防止することができる。
さらに、吊り下げ部８１を設けたので、この吊り下げ部８１を利用することにより、バッグ１を吊り下げることができる。
【００１６】
【発明の効果】
以上説明したように、この発明によれば、外側袋状収容部と内側袋状収容部との間に防水性を有する中間袋状収容部を介在させて収容部としたので、収容部の逢着部分に防水処理を施す必要がなくなるため、単に逢着するという簡単な構成で、所期の防水性能を得ることができる。
さらに、外側袋状蓋部と内側袋状蓋部との間に防水性を有する中間袋状蓋部を介在させて蓋部としたので、収容部および蓋部の逢着部分に防水処理を施す必要がなくなるため、単に逢着するという簡単な構成で、所期のより高い防水性能を得ることができる。
【図面の簡単な説明】
【図１】この発明の一実施形態であるバッグの斜視図である。
【図２】図１に示したバッグの収容部の一部を破断し、その部分の概略構成を示す右側面図である。
【図３】図１に示したバックの蓋部を開放させた状態の斜視図である。
【図４】図３における収容部を分解した斜視図である。
【符号の説明】
１　　バッグ
１１　収容部
１２　外側袋状収容部
１３　中間袋状収容部
１４　内側袋状収容部
１５　外側袋状収容体
１６　内側袋状収容体
１７　緩衝材
１８　当布
２１　蓋部
２２　外側袋状蓋部
２４　内側袋状蓋部
２６　内側袋状蓋体
２８　当布
３１　面ファスナ
３２　面ファスナ部
３３　面ファスナ部
４１　ロック機構
４２　ベルト
４３　ベルト
４４　バックル
４５　雄部材
４６　雌部材
５１　小物収容部
５２　ネット
６１　装着部
６２　基部
６３　覆い部
７１　固定用ホルダ
７２　ベルト
７３　ホック
７４　雄部材
７５　雌部材
８１　吊り下げ部
８２　ナス環
【図１】
2004024577.tif 000003
【図２】
2004024577.tif 000004
【図３】
2004024577.tif 000005
【図４】
2004024577.tif 000006